(57)【要約】【課題】  高い光学性能を維持しつつ小型軽量化を実現できる撮像レンズを提供すること。【解決手段】  物体側から像面側に向かって順に、物体側に凸面を向けた主たる正のパワーを持つ第１レンズ１と、物体側に凹面を向けたメニスカス形状の第２レンズ２と、補正レンズとして機能する第３レンズ３とを配設し、かつ、次の条件式、０．２５＜ｒ１ ／ｆ＜０．５０、−０．２７＜ｒ３ ／ｆ＜−０．１９（但し、ｒ１：第１レンズ１の物体側の面（第１面１ａ）の中心曲率半径、ｒ３：第２レンズ２の物体側の面（第１面２ａ）の中心曲率半径、ｆ ：レンズ系全体の焦点距離）を満足すること。【選択図】      図１
2005309210.tif 000002
【特許請求の範囲】
【請求項１】
物体側から像面側に向かって順に、物体側に凸面を向けた主たる正のパワーを持つ第１レンズと、物体側に凹面を向けたメニスカス形状の第２レンズと、補正レンズとして機能する第３レンズとを配設し、かつ、次の（１）、（２）に示す各条件式、
０．２５＜ｒ１ ／ｆ＜０．５０       （１）
−０．２７＜ｒ３ ／ｆ＜−０．１９     （２）
但し、ｒ１：第１レンズの物体側の面（第１面）の中心曲率半径
ｒ３：第２レンズの物体側の面（第１面）の中心曲率半径
ｆ ：レンズ系全体の焦点距離
を満足することを特徴とする撮像レンズ。
【請求項２】
更に、次の（３）に示す条件式、
−０．９０＜ｆ／ｒ２ ＜１．２０     （３）
但し、ｒ２：第１レンズの像面側の面（第２面）の中心曲率半径
を満足することを特徴とする請求項１に記載の撮像レンズ。
【請求項３】
更に、次の（４）に示す条件式、
−０．２２＜ｆ／ｒ６ ＜１．３０     （４）
但し、ｒ６：第３レンズの像面側の面（第２面）の中心曲率半径
を満足することを特徴とする請求項１または請求項２に記載の撮像レンズ。
【請求項４】
更に、次の（５）〜（７）に示す各条件式、
４０≦ν１≦７２                    （５）
２０≦ν２≦４０                    （６）
４０≦ν３≦７２                    （７）
但し、ν１：第１レンズのアッベ数
ν２：第２レンズのアッベ数
ν３：第３レンズのアッベ数
を満足することを特徴とする請求項１乃至請求項３のいずれか１項に記載の撮像レンズ。
【請求項５】
前記第１レンズと前記第２レンズとの間に絞りを配設したことを特徴とする請求項１乃至請求項４のいずれか１項に記載の撮像レンズ。
【請求項６】
前記第３レンズの像面側の面は、中心側から周辺に向かうにしたがって物体側に曲がるような形状とされていることを特徴とする請求項１乃至５のいずれか１項に記載の撮像レンズ。
【請求項７】
前記第１レンズ、前記第２レンズおよび前記第３レンズのそれぞれにおいて、物体側および像面側の少なくとも一方の面が非球面形状に形成されていることを特徴とする請求項１乃至請求項６のいずれか１項に記載の撮像レンズ。
【請求項８】
前記第１レンズ、前記第２レンズおよび前記第３レンズの少なくとも１つは、樹脂材料によって形成されていることを特徴とする請求項１乃至請求項７のいずれか１項に記載の撮像レンズ。
【発明の詳細な説明】
【技術分野】
【０００１】
本発明は、撮像レンズに係り、特に、携帯型のコンピュータ、テレビ電話、携帯電話、デジタルカメラ等に搭載されるＣＣＤ、ＣＭＯＳ等の撮像素子を利用した撮像装置に用いられ、小型軽量化を図るのに好適な３枚レンズ構成の撮像レンズに関する。
【背景技術】
【０００２】
近年、携帯型のコンピュータ、テレビ電話、携帯電話、デジタルカメラ等に搭載されるＣＣＤ、ＣＭＯＳ等の撮像素子を利用したカメラの需要が著しく高まっている。このようなカメラは、限られた設置スペースに搭載する必要があることから、小型であり、かつ、軽量であることが望まれている。
【０００３】
そのため、このようなカメラに用いられる撮像レンズにも、同様に小型軽量であることが要求されており、このような撮像レンズとしては、従来から、１枚のレンズを用いた１枚構成のレンズ系や２枚のレンズを用いた２枚構成のレンズ系が用いられている。
【０００４】
しかしながら、これらのものは、レンズ系の小型軽量化には極めて有利であるものの、近年、撮像レンズに要求される高画質、高解像度化には十分に対応できないという問題がある。
【０００５】
そのため、従来から、３枚のレンズを用いた３枚構成のレンズ系を用い、これにより、高画質、高解像度化に対応することが行われている。
【０００６】
【特許文献１】特開２００１−７５００６号公報
【特許文献２】特開２００１−８３４０９号公報
【発明の開示】
【発明が解決しようとする課題】
【０００７】
ところで、最近においては、特に、デジタルカメラ等の分野において、従来のＣＩＦ（１１万画素程度）やＶＧＡ（３０万画素程度）を上回る１００万画素以上のさらなる高画質・高解像度の固体撮像素子を用いた撮像装置の需要が増々高まりつつある。
【０００８】
しかしながら、従来のレンズ系においては、収差を良好に補正して高画質・高解像度という高い光学性能を実現しつつレンズ系自体の更なる小型軽量化（全長の短縮化）を図るには、未だに不十分であるといった問題点を有している。
【０００９】
本発明は、このような問題点に鑑みなされたもので、高い光学性能を維持しつつ小型軽量化を実現できる撮像レンズを提供することを目的とするものである。
【課題を解決するための手段】
【００１０】
前述した目的を達成するため、本発明の請求項１に係る撮像レンズの特徴は、物体側から像面側に向かって順に、物体側に凸面を向けた主たる正のパワーを持つ第１レンズと、物体側に凹面を向けたメニスカス形状の第２レンズと、補正レンズとして機能する第３レンズとを配設し、かつ、次の（１）、（２）に示す各条件式を満足する点にある。
０．２５＜ｒ１ ／ｆ＜０．５０       （１）
−０．２７＜ｒ３ ／ｆ＜−０．１９     （２）
但し、（１）式において、ｒ１ は、第１レンズの物体側の面（第１面）の中心曲率半径である。また、（２）式において、ｒ３は、第２レンズの物体側の面（第１面）の中心曲率半径である。さらに、（１）および（２）式において、ｆは、レンズ系全体の焦点距離である。
【００１１】
そして、この請求項１に係る発明によれば、第１レンズ、第２レンズおよび第３レンズの組み合わせによって、球面収差、コマ収差、非点収差、像面湾曲およびディストーション（歪曲収差）等の諸収差を良好に補正しつつレンズの全長を有効に短縮化することが可能となる。
【００１２】
また、（１）の条件式を満足することにより、諸収差を悪化させずに第１レンズの第１面により十分なパワーを持たせてさらにレンズの全長を短縮化することが可能となる。
【００１３】
さらに、（２）の条件式を満足することにより、コマ収差、非点収差およびディストーションを悪化させることなく、色収差および像面湾曲をさらに良好に補正することが可能となる。
【００１４】
なお、テレセントリック性についても、十分に許容できる範囲に維持することが可能となる。
【００１５】
請求項２に係る撮像レンズの特徴は、請求項１において、更に、次の（３）に示す条件式を満足する点にある。
−０．９０＜ｆ／ｒ２  ＜１．２０     （３）
但し、（３）式において、ｒ２ は、第１レンズの像面側の面（第２面）の中心曲率半径である。
【００１６】
そして、この請求項２に係る発明によれば、さらに、（３）の条件式を満足することによって、非点収差および像面湾曲をより良好に補正することが可能となる。
【００１７】
請求項３に係る撮像レンズの特徴は、請求項１または請求項２において、更に、次の（４）に示す条件式を満足する点にある。
−０．２２＜ｆ／ｒ６ ＜１．３０     （４）
但し、（４）式において、ｒ６ は、第３レンズの像面側の面（第２面）の中心曲率半径である。
【００１８】
そして、この請求項３に係る発明によれば、さらに、（４）の条件式を満足することによって、非点収差と像面湾曲とをよりバランスよく補正することが可能となる。
【００１９】
請求項４に係る撮像レンズの特徴は、請求項１乃至請求項３のいずれか１項において、更に、次の（５）〜（７）に示す各条件式を満足する点にある。
４０≦ν１≦７２                    （５）
２０≦ν２≦４０                    （６）
４０≦ν３≦７２                    （７）
但し、（５）式において、ν１ は、第１レンズのアッベ数であり、ν２ は、第２レンズのアッベ数であり、ν３ は、第３レンズのアッベ数である。
【００２０】
そして、この請求項４に係る発明によれば、さらに、（５）〜（７）の各条件式を満足することによって、軸上色収差をより良好に補正することが可能となる。
【００２１】
請求項５に係る撮像レンズの特徴は、請求項１乃至請求項４のいずれか１項において、前記第１レンズと前記第２レンズとの間に絞りを配設した点にある。
【００２２】
そして、この請求項５に係る発明によれば、さらに、光線が広がっていない絞りの近傍に、主たるパワーを持った第１レンズを位置させることができるため、物体側から入射した光線を、収差を悪くしない状態で適正に集光することができる。この結果、さらに有効にレンズの全長を短縮化することが可能となる。
【００２３】
また、互いに対称形状とされた第１レンズと第２レンズとの間に絞りを配置することによって、コマ収差、ディストーションおよび倍率色収差をさらに良好に補正することが可能となる。
【００２４】
請求項６に係る撮像レンズの特徴は、請求項１乃至請求項５のいずれか１項において、前記第３レンズの像面側の面が、中心側から周辺に向かうにしたがって物体側に曲がるような形状とされている点にある。
【００２５】
そして、この請求項６に係る発明によれば、更に、テレセントリック性を向上することが可能となるとともに、周辺における非点収差の補正をさらに効果的に行うことが可能となる。
【００２６】
請求項７に係る撮像レンズの特徴は、請求項１乃至請求項６のいずれか１項において、前記第１レンズ、前記第２レンズおよび前記第３レンズのそれぞれにおいて、物体側および像面側の少なくとも一方の面が非球面形状に形成されている点にある。
【００２７】
そして、この請求項７に係る発明によれば、さらに、諸収差をより良好に補正することが可能となる。
【００２８】
請求項８に係る撮像レンズの特徴は、請求項１乃至請求項７のいずれか１項において、前記第１レンズ、前記第２レンズおよび前記第３レンズの少なくとも１つが、樹脂材料によって形成されている点にある。
【００２９】
そして、この請求項８に係る発明によれば、さらに、レンズの成形性をより向上することが可能となり、製造コストをさらに低廉化することが可能となる。
【発明の効果】
【００３０】
本発明の請求項１に係る撮像レンズによれば、光学性能に優れた小型軽量の撮像レンズを実現することができる。
【００３１】
より具体的には、テレセントリック性を維持しつつも、球面収差、コマ収差、非点収差、像面湾曲およびディストーションをバランスよく補正することによって解像度を向上することができ、画面全体にわたってバランスがとられた色のにじみの少ない良好な画像を得ることができる。
【００３２】
請求項２に係る撮像レンズによれば、請求項１に係る撮像レンズの効果に加えて、非点収差および像面湾曲をより良好に補正することによって、さらに光学性能に優れた小型軽量の撮像レンズを実現することができる。
【００３３】
請求項３に係る撮像レンズによれば、請求項１または請求項２に係る撮像レンズの効果に加えて、さらに、非点収差と像面湾曲とをよりバランスよく補正し、テレセントリック性を向上することによって、より光学性能に優れた小型軽量の撮像レンズを実現することができる。
【００３４】
請求項４に係る撮像レンズによれば、請求項１乃至請求項３のいずれか１項に係る撮像レンズの効果に加えて、さらに、軸上色収差がより良好に補正さらた光学性能に優れた小型軽量の撮像レンズを実現することができる。
【００３５】
請求項５に係る撮像レンズによれば、請求項１乃至請求項４のいずれか１項に係る撮像レンズの効果に加えて、さらに、物体側から入射した光線を収差を悪くしない状態で適正に集光することによって、さらに、光学性能に優れたより小型軽量の撮像レンズを実現することができる。また、コマ収差、ディストーションおよび倍率色収差をさらに良好に補正することによって、さらに光学性能に優れた撮像レンズを実現することができる。
【００３６】
請求項６に係る撮像レンズによれば、請求項１乃至請求項５のいずれか１項に係る撮像レンズの効果に加えて、さらに、テレセントリック性をより向上するとともに、周辺における非点収差の補正をさらに効果的に行うことによって、さらに光学性能に優れた小型軽量の撮像レンズを実現することができる。
【００３７】
請求項７に係る撮像レンズによれば、請求項１乃至請求項６のいずれか１項に係る撮像レンズの効果に加えて、さらに、諸収差をより良好に補正することによって、さらに光学性能に優れた小型軽量の撮像レンズを実現することができる。
【００３８】
請求項８に係る撮像レンズによれば、請求項１乃至請求項７のいずれか１項に係る撮像レンズの効果に加えて、成形性が向上された安価な撮像レンズを実現することができる。
【発明を実施するための最良の形態】
【００３９】
以下、本発明に係る撮像レンズの実施形態について、図１を参照して説明する。
【００４０】
図１に示すように、本実施形態における撮像レンズ４は、物体側から像面側に向かって順に、物体側に凸面を向けた主たる正のパワーを持つ第１レンズ１と、物体側に凹面を向けたメニスカス形状の第２レンズ２と、補正レンズとして機能する第３レンズ３とを有している。ここで、第１レンズ１、第２レンズ２および第３レンズ３における物体側の各レンズ面１ａ，２ａ，３ａを、それぞれ各レンズ１，２，３の第１面１ａ，２ａ，３ａと称し、像面側のレンズ面１ｂ，２ｂ，３ｂを、それぞれ各レンズ１，２，３の第２面１ｂ，２ｂ，３ｂと称することとする。
【００４１】
第３レンズ３の第２面３ｂの側には、カバーガラス、ＩＲカットフィルタ、ローパスフィルタ等の各種フィルタ５およびＣＣＤあるいはＣＭＯＳ等の撮像素子の受光面である撮像面６がそれぞれ配設されている。なお、各種フィルタ５は、必要に応じて省略することも可能である。
【００４２】
本実施形態においては、上記のように形成された第１レンズ１、第２レンズ２および第３レンズ３の組み合わせによって、球面収差、コマ収差、非点収差、像面湾曲およびディストーション等の諸収差を良好に補正しつつレンズの全長を有効に短縮化することが可能となる。
【００４３】
さらに、本実施形態においては、第１レンズ１と第２レンズ２との間に絞り７が配設されている。絞り７の配設位置は、より好ましくは、第１レンズ１の第２面１ｂの中心（面頂点）と第２レンズ２の第１面２ａの中心（面頂点）とを結ぶ光軸８上の線分の中点よりも第１レンズ１の第２面１ｂに近い位置とする。
【００４４】
これにより、光線が広がっていない絞り７の近傍に、主たるパワーを持った第１レンズ１のレンズ面１ａ，１ｂを位置させることができるため、物体側から入射した光線を、収差を悪くしない状態で適正に集光することができる。この結果、撮像レンズ４の全長をさらに有効に短縮化することが可能となる。
【００４５】
さらに、本実施形態においては、更に、次の（１）、（２）に示す各条件式を満足するようにする。
０．２５＜ｒ１ ／ｆ＜０．５０（より好ましくは、０．３＜ｒ１ ／ｆ＜０．４５）             （１）
−０．２７＜ｒ３ ／ｆ＜−０．１９（より好ましくは、−０．２４＜ｒ３ ／ｆ＜−０．１９）     （２）
但し、（１）式において、ｒ１ は、第１レンズ１の第１面１ａの中心曲率半径である。また、（２）式において、ｒ３は、第２レンズ２の第１面２ａの中心曲率半径である。さらに、（１）および（２）式において、ｆは、レンズ系全体の焦点距離である。
【００４６】
ここで、ｒ１ ／ｆの値が、（１）式に示す値（０．５０）以上になると、第１レンズ１の第１面１ａの正の曲率が小さくなり過ぎる、すなわち、第１レンズ１の第１面１ａの曲率半径（正）の絶対値が大きくなり過ぎることによって、第１レンズ１によって十分なパワーを稼ぐことができなくなる。
【００４７】
これにより、第２レンズ２および第３レンズ３の少なくとも一方に正のパワーを負担させることを余儀なくされ、この結果、レンズ全長の短縮化と、収差の補正とのバランスをとることができなくなる。
【００４８】
一方、ｒ１ ／ｆの値が、（１）式に示す値（０．２５）以下になると、第１レンズ１の第１面１ａの正の曲率が大きくなり過ぎる、すなわち、第１レンズ１の第１面１ａの曲率半径（正）の絶対値が小さくなり過ぎることによって、第１レンズ１の第１面１ａに対する主光線の入射角度が大きくなり過ぎ、この結果、却って収差を悪化させることになる。
【００４９】
また、ｒ３ ／ｆの値が、（２）式に示す値（−０．２７）以下になると、像面湾曲が補正不足となる。
【００５０】
一方、ｒ３ ／ｆの値が、（２）式に示す値（−０．１９）以上になると、コマ収差、非点収差およびディストーションが悪化することになる。
【００５１】
したがって、本実施形態においては、ｒ１ ／ｆを（１）の条件式を満足するようにすることによって、諸収差を悪化させずに第１レンズ１の第１面１ａに十分なパワーを持たせることができ、この結果、良好な光学性能を維持しつつレンズの全長を短縮化することが可能となる。
【００５２】
さらに、ｒ３ ／ｆの値を（２）の条件式を満足するようにすることによって、コマ収差、非点収差およびディストーションを悪化させることなく、色収差および像面湾曲をさらに良好に補正することが可能となる。
【００５３】
さらにまた、第１レンズ１と第２レンズ２との間に絞り７を配置した状態で、（１）および（２）の条件式をともに満足することによって、第１レンズ１の第１面１ａと、第２レンズ２の第１面２ａとを、絞り７を挟んで互いに対称的な形状にすることができるため、ディストーション、コマ収差および倍率色収差をより良好に補正することが可能となる。
【００５４】
なお、上記のように構成することによって、テレセントリック性についても、十分に許容できる範囲に維持することが可能となる。
【００５５】
さらに、本実施形態においては、更に、次の（３）に示す条件式を満足するようにする。
【００５６】
−０．９０＜ｆ／ｒ２  ＜１．２０（より好ましくは、−０．７０＜ｆ／ｒ２  ＜０．９０（さらに好ましくは、−０．５０＜ｆ／ｒ２  ＜０．７５））  （３）
但し、（３）式において、ｒ２ は、第１レンズ１の第２面１ｂの中心曲率半径である。
【００５７】
ここで、ｆ／ｒ２ の値が、（３）式に示す値（−０．９０）以下になると、第１レンズ１の第２面１ｂの負の曲率が大きくなり過ぎる、すなわち、第１レンズ１の第２面１ｂの曲率半径（負）の絶対値が小さくなり過ぎることによって、第１レンズ１の正のパワーが弱くなる。
【００５８】
これにより、第２レンズ２および第３レンズ３の少なくとも一方に正のパワーを負担させることを余儀なくされ、この結果、非点収差や像面湾曲等の諸収差が悪化することになる。
【００５９】
一方、ｆ／ｒ２ の値が、（３）式に示す値（１．２０）以上になると、第１レンズ１の第２面１ｂの正の曲率が大きくなり過ぎる、すなわち、第１レンズ１の第２面１ｂの曲率半径（正）の絶対値が小さくなり過ぎる結果、やはり、非点収差および像面湾曲が悪化することになる。
【００６０】
したがって、本実施形態においては、ｆ／ｒ２ の値を、（３）の条件式を満足するようにすることによって、非点収差および像面湾曲をより良好に補正することが可能となる。
【００６１】
さらに、本実施形態においては、更に、次の（４）に示す条件式を満足するようにする。
【００６２】
−０．２２＜ｆ／ｒ６ ＜１．３０（より好ましくは、−０．１０＜ｆ／ｒ６ ＜１．００）         （４）
但し、（４）式において、ｒ６ は、第３レンズ３の第２面３ｂの中心曲率半径である。
【００６３】
ここで、ｆ／ｒ６ の値が（４）式に示す値（−０．２２）以下になると、第３レンズ３の第２面３ｂの負の曲率が大きくなり過ぎる、すなわち、第３レンズ３の第２面３ｂの曲率半径（負）の絶対値が小さくなり過ぎることになる。
【００６４】
この結果、ペッツバール和が低減されて像面湾曲が良好に補正されることになるが、非点収差が悪化することになる。
【００６５】
また、第３レンズ３の負のパワーが強くなり過ぎることになるため、第１レンズ１の正のパワーをさらに強くする必要が生じ、この結果、諸収差をバランス良く補正することが困難となり、撮像レンズ４の性能が劣化することになる。
【００６６】
一方、ｆ／ｒ６ の値が（４）式に示す値（１．３０）以上になると、第３レンズ３の第２面３ｂの正の曲率が大きくなり過ぎる、すなわち、第３レンズ３の第２面３ｂの曲率半径（正）の絶対値が小さくなり過ぎることになる。
【００６７】
この結果、非点収差は良好に補正されることになるが、ペッツバール和が増大して像面湾曲の補正が困難となる。
【００６８】
したがって、本実施形態においては、ｆ／ｒ６ の値を（４）の条件式を満足するようにすることによって、非点収差と像面湾曲とをよりバランスよく補正することが可能となる。
【００６９】
さらに、本実施形態においては、更に、次の（５）〜（７）に示す各条件式を満足するようにする。
【００７０】
４０≦ν１≦７２                    （５）
２０≦ν２≦４０                    （６）
４０≦ν３≦７２                    （７）
但し、（５）式において、ν１ は、第１レンズ１のアッベ数であり、ν２ は、第２レンズ２のアッベ数であり、ν３ は、第３レンズ３のアッベ数である。
【００７１】
このように、第１レンズ１と第３レンズ３とを低分散（νが大）の光学材料によって形成し、第２レンズ２を高分散（νが小）の光学材料によって形成することによって、軸上色収差をさらに良好に補正することが可能となる。
【００７２】
なお、各レンズ１，２，３を形成するための光学材料としては、例えばガラスや樹脂材料（プラスチック等）が考えられるが、各レンズ１，２，３をすべて樹脂材料によって形成すれば、各レンズ１，２，３を樹脂の射出成形等によって簡便に形成することが可能となり、より低コストな撮像レンズを実現することができる。
【００７３】
さらに、本実施形態においては、第３レンズ３の第２面３ｂが、中心側から周辺に向かうにしたがって物体側に曲がるような形状に形成されている。
【００７４】
したがって、第３レンズ３の第２面３ｂにおける周辺側の部位を、像面側に向かう凸面にすることができるため、この凸面にされた第２面３ｂの周辺側の部位によって周辺の光線を内側（光軸８側）に曲げることができ、この結果、テレセントリック性をさらに向上することが可能となる。
【００７５】
また、当該凸面とされた第３レンズ３の第２面３ｂの周辺側の部位によって、タンジェンシャル側の光線を内側に曲げることができるため、周辺における非点収差の補正をさらに効果的に行うことが可能となる。
【００７６】
上記の構成に加えて、更に、第１レンズ１、第２レンズ２、第３レンズ３のそれぞれにおいて、第１面１ａ，２ａ，３ａおよび第２面１ｂ，２ｂ，３ｂの少なくとも一方の面を非球面形状に形成するようにしてもよい。
【００７７】
そのようにすれば、諸収差をさらに良好に補正することが可能となる。
【００７８】
ここで、第２レンズ２の第２面２ｂを非球面形状に形成する場合、この第２レンズ２の第２面２ｂを、中心側から周辺に向かうにしたがって曲率が小さくなるように形成することが好ましい。
【００７９】
そのようにすれば、第２レンズ２の周辺側を凹レンズとすることができるため、周辺での倍率色収差をさらに良好に補正することが可能となる。
【００８０】
また、上記構成に加えて、さらに、第３レンズ３の第１面３ａを、平面あるいはこれに近似する形状に形成することが好ましい。
【００８１】
そのようにすれば、第３レンズ３の第１面３ａの周辺側の部位によって光線を内側に曲げることができるため、テレセントリック性をさらに向上することが可能となる。また、第３レンズ３の第１面３ａがほとんど平面であることによって、製造時において偏心による軸ずれが生じた場合においても、光学性能に与える影響を少なくすることが可能となる。
【実施例】
【００８２】
次に、本発明の実施例について、図２乃至図２５を参照して説明する。
【００８３】
ここで、本実施例において、Ｆｎｏは、Ｆナンバー、ωは、半画角、ｒは、中心曲率半径を示す。また、ｄは、次の光学面までの距離を示す。また、ｎｄは、ｄ線に対する屈折率、νｄは、アッベ数（ｄ線基準）を示す。
【００８４】
ｋ、Ａ、Ｂ、Ｃ、Ｄは、次の（８）式における各係数を示す。すなわち、レンズの非球面の形状は、光軸８方向にＺ軸、光軸８に直交する方向（高さ方向）にＸ軸をとり、光の進行方向を正とし、ｋを円錐係数、Ａ、Ｂ、Ｃ、Ｄを非球面係数、ｒを中心曲率半径としたとき次式で表される。
Ｚ（Ｘ）＝ｒ−１ Ｘ２ ／［１＋｛１−（ｋ＋１）r−２ Ｘ２  ｝１／２ ］
＋ＡＸ４  ＋ＢＸ６ ＋ＣＸ８ ＋ＤＸ１０             （８）
＜第１実施例＞
図２は、本発明の第１実施例を示したものであり、この図２に示す撮像レンズ４は、図１に示したものと同様の構成の撮像レンズ４とされ、第１レンズ１と第２レンズ２との間には、絞り７が配設されている。なお、絞り７は、第１レンズ１の第２面１ｂと同一面とみなされている。また、第１〜３の各レンズ１，２，３は樹脂材料により形成されている。
【００８５】
さらに、第１実施例の撮像レンズ４は、以下の条件に設定されている。
（レンズデータ）
ｆ＝５．００ｍｍ、Ｆｎｏ＝３．１８、ω＝３０．９９°
面番号                           ｒ         ｄ       ｎd        νｄ
（物点）                         ∞     1000.000
１（第１レンズ第１面）         1.67207     1.200    1.5300       55.8
２（第１レンズ第２面）（絞り）10.95995     0.590
３（第２レンズ第１面）        -1.15954     0.820    1.6070       27.0
４（第２レンズ第２面）        -1.41795     0.200
５（第３レンズ第１面）       -33.10555     1.270    1.5300       55.8
６（第３レンズ第２面）         9.07325     0.900
７（カバーガラス第１面）         ∞        0.850    1.5168       64.2
８（カバーガラス第２面）         ∞        0.410
（像面）                         ∞       -0.010
面番号    ｋ              Ａ                Ｂ               Ｃ
１    -0.894566    0.243192e-01       0.162251e-02      0.533342e-02
２     0.000000   -0.195907e-01      -0.714696e-01      0.000000e+00
３     0.658462    0.523468e-01       0.910964e-01      0.000000e+00
４    -1.000000    0.488752e-01       0.204890e-01      0.000000e+00
５     1.000000    0.181949e-01      -0.670647e-02      0.965643e-03
６     0.000000   -0.448564e-01       0.962404e-02     -0.176382e-02
Ｄ
１    -0.594036e-02
２     0.000000e+00
３     0.000000e+00
４     0.000000e+00
５     0.000000e+00
６     0.123044e-03
【００８６】
このような条件の下で、ｒ１ ／ｆ＝０．３３４となり、（１）の条件式を満足するものであった。また、ｒ３ ／ｆ＝−０．２３２となり、（２）の条件式を満足するものであった。さらに、ｆ／ｒ２ ＝０．４５６となり、（３）の条件式を満足するものであった。さらにまた、ｆ／ｒ６ ＝０．５５１となり、（４）の条件式を満足するものであった。また、ν１ ＝５５．８、ν２ ＝２７．０、ν３ ＝５５．８となり、（５）〜（７）の各条件式を満足するものであった。
【００８７】
この第１実施例の撮像レンズ４における球面収差、非点収差およびディストーションを図３に、横収差を図４に示す。
【００８８】
この結果によれば、球面収差、非点収差、ディストーションおよび横収差のいずれも満足できる結果となり、十分に優れた光学特性を得ることができることが分かる。
【００８９】
さらに、このような優れた光学特性が得られる上に、光学系の全長は、６．２３ｍｍと、小型軽量化に適した短い全長とすることができる。
＜第２実施例＞
図５は、本発明の第２実施例を示したものであり、この図５に示す撮像レンズ４も、第１実施例と同様に、絞り７を、第１レンズ１の第２面１ｂと同一面とみなしている。また、第１〜３の各レンズ１，２，３は樹脂材料により形成されている。
【００９０】
さらに、第２実施例の撮像レンズ４は、以下の条件に設定されている。
（レンズデータ）
ｆ＝５．００ｍｍ、Ｆｎｏ＝３．１８、ω＝３１．０４°
面番号                           ｒ         ｄ       ｎd        νｄ
（物点）                         ∞     1000.390
１（第１レンズ第１面）         2.28150     1.061    1.5300       55.8
２（第１レンズ第２面）（絞り）-5.90960     0.649
３（第２レンズ第１面）        -1.09163     0.800    1.6070       27.0
４（第２レンズ第２面）        -1.48531     0.602
５（第３レンズ第１面）        11.91778     0.963    1.5300       55.8
６（第３レンズ第２面）         4.25000     0.900
７（カバーガラス第１面）         ∞        0.850    1.5168       64.2
８（カバーガラス第２面）         ∞        0.400
（像面）                         ∞
面番号    ｋ              Ａ                Ｂ               Ｃ
１   -11.416437    0.985518e-01      -0.920520e-01      0.470655e-01
２     0.000000   -0.541953e-01      -0.190726e-01      0.000000e+00
３    -0.162564    0.110760e+00       0.842276e-01      0.000000e+00
４    -0.072024    0.104247e+00       0.445710e-01      0.000000e+00
５     1.000000   -0.461473e-02      -0.421017e-02      0.877457e-03
６     0.000000   -0.525966e-01       0.109004e-01     -0.220928e-02
Ｄ
１    -0.218362e-01
２     0.000000e+00
３     0.000000e+00
４     0.000000e+00
５     0.000000e+00
６     0.176423e-03
【００９１】
このような条件の下で、ｒ１ ／ｆ＝０．４５６となり、（１）の条件式を満足するものであった。また、ｒ３ ／ｆ＝−０．２１８となり、（２）の条件式を満足するものであった。さらに、ｆ／ｒ２ ＝−０．８４６となり、（３）の条件式を満足するものであった。さらにまた、ｆ／ｒ６ ＝１．１７６となり、（４）の条件式を満足するものであった。また、ν１ ＝５５．８、ν２ ＝２７．０、ν３ ＝５５．８となり、（５）〜（７）の各条件式を満足するものであった。
【００９２】
この第２実施例の撮像レンズ４における球面収差、非点収差およびディストーションを図６に、横収差を図７に示す。
【００９３】
この結果によれば、球面収差、非点収差、ディストーションおよび横収差のいずれも満足できる結果となり、十分に優れた光学特性を得ることができることが分かる。
【００９４】
さらに、このような優れた光学特性が得られる上に、光学系の全長は、６．２３ｍｍと、小型軽量化に適した短い全長とすることができる。
＜第３実施例＞
図８は、本発明の第３実施例を示したものであり、この図８に示す撮像レンズ４も、第１実施例と同様に、絞り７を、第１レンズ１の第２面１ｂと同一面とみなしている。また、第１〜３の各レンズ１，２，３は樹脂材料により形成されている。
【００９５】
さらに、第３実施例の撮像レンズ４は、以下の条件に設定されている。
（レンズデータ）
ｆ＝５．００ｍｍ、Ｆｎｏ＝３．１８、ω＝３１．０２°
面番号                           ｒ         ｄ       ｎd        νｄ
（物点）                         ∞      1000.390
１（第１レンズ第１面）          2.05569     1.102    1.5300      55.8
２（第１レンズ第２面）（絞り）-10.08594     0.631
３（第２レンズ第１面）         -1.10899     0.801    1.6070      27.0
４（第２レンズ第２面）         -1.47763     0.469
５（第３レンズ第１面）         18.23224     1.073    1.5300      55.8
６（第３レンズ第２面）          5.00000     0.900
７（カバーガラス第１面）         ∞         0.850    1.5168      64.2
８（カバーガラス第２面）         ∞         0.400
（像面）                         ∞
面番号    ｋ              Ａ                Ｂ               Ｃ
１    -8.996077    0.115404e+00      -0.895886e-01      0.482837e-01
２     0.000000   -0.472860e-01      -0.272533e-01      0.000000e+00
３     0.033119    0.999234e-01       0.943302e-01      0.000000e+00
４    -0.068860    0.101111e+00       0.440761e-01      0.000000e+00
５     1.000000   -0.941121e-04      -0.464122e-02      0.922754e-03
６     0.000000   -0.505948e-01       0.107551e-01     -0.216430e-02
Ｄ
１    -0.206340e-01
２     0.000000e+00
３     0.000000e+00
４     0.000000e+00
５     0.000000e+00
６     0.168479e-03
【００９６】
このような条件の下で、ｒ１ ／ｆ＝０．４１１となり、（１）の条件式を満足するものであった。また、ｒ３ ／ｆ＝−０．２２２となり、（２）の条件式を満足するものであった。さらに、ｆ／ｒ２ ＝−０．４９６となり、（３）の条件式を満足するものであった。さらにまた、ｆ／ｒ６ ＝１．０００となり、（４）の条件式を満足するものであった。また、ν１ ＝５５．８、ν２ ＝２７．０、ν３ ＝５５．８となり、（５）〜（７）の各条件式を満足するものであった。
【００９７】
この第３実施例の撮像レンズ４における球面収差、非点収差およびディストーションを図９に、横収差を図１０に示す。
【００９８】
この結果によれば、球面収差、非点収差、ディストーションおよび横収差のいずれも満足できる結果となり、十分に優れた光学特性を得ることができることが分かる。
【００９９】
さらに、このような優れた光学特性が得られる上に、光学系の全長は、６．２３ｍｍと、小型軽量化に適した短い全長とすることができる。
＜第４実施例＞
図１１は、本発明の第４実施例を示したものであり、この図１１に示す撮像レンズ４も、第１実施例と同様に、絞り７を、第１レンズ１の第２面１ｂと同一面とみなしている。また、第１〜３の各レンズ１，２，３は樹脂材料により形成されている。
【０１００】
さらに、第４実施例の撮像レンズ４は、以下の条件に設定されている。
（レンズデータ）
ｆ＝５．００ｍｍ、Ｆｎｏ＝３．１８、ω＝３０．９２°
面番号                           ｒ         ｄ       ｎd        νｄ
（物点）                         ∞     1000.390
１（第１レンズ第１面）         1.64744     1.207    1.5300      55.8
２（第１レンズ第２面）（絞り）10.28699     0.573
３（第２レンズ第１面）        -1.15915     0.800    1.6070      27.0
４（第２レンズ第２面）        -1.50008     0.205
５（第３レンズ第１面）      -109.68617     1.291    1.5300      55.8
６（第３レンズ第２面）        12.49999     0.900
７（カバーガラス第１面）         ∞        0.850    1.5168      64.2
８（カバーガラス第２面）         ∞        0.400
（像面）                         ∞
面番号    ｋ              Ａ                Ｂ               Ｃ
１    -6.440748    0.175544e+00      -0.109777e+00      0.710343e-01
２     0.000000   -0.174128e-01      -0.591052e-01      0.000000e+00
３     0.637797    0.683283e-01       0.960848e-01      0.000000e+00
４    -0.142084    0.850229e-01       0.300269e-01      0.000000e+00
５    -0.016641    0.139262e-01      -0.659669e-02      0.900553e-03
６     0.000000   -0.399889e-01       0.721286e-02     -0.130664e-02
Ｄ
１    -0.230266e-01
２     0.000000e+00
３     0.000000e+00
４     0.000000e+00
５     0.000000e+00
６     0.768978e-04
【０１０１】
このような条件の下で、ｒ１ ／ｆ＝０．３２９となり、（１）の条件式を満足するものであった。また、ｒ３ ／ｆ＝−０．２３２となり、（２）の条件式を満足するものであった。さらに、ｆ／ｒ２ ＝０．４８６となり、（３）の条件式を満足するものであった。さらにまた、ｆ／ｒ６ ＝０．４００となり、（４）の条件式を満足するものであった。また、ν１ ＝５５．８、ν２ ＝２７．０、ν３ ＝５５．８となり、（５）〜（７）の各条件式を満足するものであった。
【０１０２】
この第４実施例の撮像レンズ４における球面収差、非点収差およびディストーションを図１２に、横収差を図１３に示す。
【０１０３】
この結果によれば、球面収差、非点収差、ディストーションおよび横収差のいずれも満足できる結果となり、十分に優れた光学特性を得ることができることが分かる。
【０１０４】
さらに、このような優れた光学特性が得られる上に、光学系の全長は、６．２３ｍｍと、小型軽量化に適した短い全長とすることができる。
＜第５実施例＞
図１４は、本発明の第５実施例を示したものであり、この図１４に示す撮像レンズ４も、第１実施例と同様に、絞り７を、第１レンズ１の第２面１ｂと同一面とみなしている。また、第１〜３の各レンズ１，２，３は樹脂材料により形成されている。
【０１０５】
さらに、第５実施例の撮像レンズ４は、以下の条件に設定されている。
（レンズデータ）
ｆ＝５．００ｍｍ、Ｆｎｏ＝３．１８、ω＝３０．９２°
面番号                           ｒ         ｄ       ｎd        νｄ
（物点）                         ∞     1000.390
１（第１レンズ第１面）         1.54728     1.229    1.5300      55.8
２（第１レンズ第２面）（絞り） 6.66474     0.551
３（第２レンズ第１面）        -1.11137     0.800    1.6070      27.0
４（第２レンズ第２面）        -1.47267     0.200
５（第３レンズ第１面）       -20.41023     1.296    1.5300      55.8
６（第３レンズ第２面）           ∞        0.900
７（カバーガラス第１面）         ∞        0.850    1.5168      64.2
８（カバーガラス第２面）         ∞        0.400
（像面）                         ∞
面番号    ｋ              Ａ                Ｂ               Ｃ
１    -5.924571    0.196695e+00      -0.121345e+00      0.824610e-01
２     0.000000   -0.138372e-01      -0.819064e-01      0.000000e+00
３     0.730294    0.457223e-01       0.122159e+00      0.000000e+00
４    -0.172690    0.708335e-01       0.356215e-01      0.000000e+00
５    -0.039852    0.190096e-01      -0.597232e-02      0.641380e-03
６     0.000000   -0.314382e-01       0.353187e-02     -0.476274e-03
Ｄ
１    -0.260731e-01
２     0.000000e+00
３     0.000000e+00
４     0.000000e+00
５     0.000000e+00
６    -0.400459e-06
【０１０６】
このような条件の下で、ｒ１ ／ｆ＝０．３０９となり、（１）の条件式を満足するものであった。また、ｒ３ ／ｆ＝−０．２２２となり、（２）の条件式を満足するものであった。さらに、ｆ／ｒ２ ＝０．７５０となり、（３）の条件式を満足するものであった。さらにまた、ｆ／ｒ６ ＝０．０００となり、（４）の条件式を満足するものであった。また、ν１ ＝５５．８、ν２ ＝２７．０、ν３ ＝５５．８となり、（５）〜（７）の各条件式を満足するものであった。
【０１０７】
この第５実施例の撮像レンズ４における球面収差、非点収差およびディストーションを図１５に、横収差を図１６に示す。
【０１０８】
この結果によれば、球面収差、非点収差、ディストーションおよび横収差のいずれも満足できる結果となり、十分に優れた光学特性を得ることができることが分かる。
【０１０９】
さらに、このような優れた光学特性が得られる上に、光学系の全長は、６．２３ｍｍと、小型軽量化に適した短い全長とすることができる。
＜第６実施例＞
図１７は、本発明の第６実施例を示したものであり、この図１７に示す撮像レンズ４も、第１実施例と同様に、絞り７を、第１レンズ１の第２面１ｂと同一面とみなしている。また、第１〜３の各レンズ１，２，３は樹脂材料により形成されている。
【０１１０】
さらに、第６実施例の撮像レンズ４は、以下の条件に設定されている。
（レンズデータ）
ｆ＝５．００ｍｍ、Ｆｎｏ＝３．１８、ω＝３０．８６°
面番号                           ｒ         ｄ       ｎd        νｄ
（物点）                         ∞     1000.390
１（第１レンズ第１面）         1.53048     1.260    1.5300      55.8
２（第１レンズ第２面）（絞り） 6.09086     0.527
３（第２レンズ第１面）        -1.11601     0.800    1.6070      27.0
４（第２レンズ第２面）        -1.49663     0.200
５（第３レンズ第１面）       -22.52461     1.288    1.5300      55.8
６（第３レンズ第２面）       -99.99998     0.900
７（カバーガラス第１面）         ∞        0.850    1.5168      64.2
８（カバーガラス第２面）         ∞        0.400
（像面）                         ∞
面番号    ｋ              Ａ                Ｂ               Ｃ
１    -5.860215    0.200935e+00      -0.123497e+00      0.851413e-01
２     0.000000   -0.111427e-01      -0.888509e-01      0.000000e+00
３     0.806094    0.457779e-01       0.114735e+00      0.000000e+00
４    -0.147545    0.659958e-01       0.344894e-01      0.000000e+00
５    -0.039852    0.169721e-01      -0.527125e-02      0.559453e-03
６     0.000000   -0.297831e-01       0.293144e-02     -0.382887e-03
Ｄ
１    -0.262823e-01
２     0.000000e+00
３     0.000000e+00
４     0.000000e+00
５     0.000000e+00
６    -0.350062e-05
【０１１１】
このような条件の下で、ｒ１ ／ｆ＝０．３０６となり、（１）の条件式を満足するものであった。また、ｒ３ ／ｆ＝−０．２２３となり、（２）の条件式を満足するものであった。さらに、ｆ／ｒ２ ＝０．８２１となり、（３）の条件式を満足するものであった。さらにまた、ｆ／ｒ６ ＝−０．０５０となり、（４）の条件式を満足するものであった。また、ν１ ＝５５．８、ν２ ＝２７．０、ν３ ＝５５．８となり、（５）〜（７）の各条件式を満足するものであった。
【０１１２】
この第６実施例の撮像レンズ４における球面収差、非点収差およびディストーションを図１８に、横収差を図１９に示す。
【０１１３】
この結果によれば、球面収差、非点収差、ディストーションおよび横収差のいずれも満足できる結果となり、十分に優れた光学特性を得ることができることが分かる。
【０１１４】
さらに、このような優れた光学特性が得られる上に、光学系の全長は、６．２３ｍｍと、小型軽量化に適した短い全長とすることができる。
＜第７実施例＞
図２０は、本発明の第７実施例を示したものであり、この図２０に示す撮像レンズ４も、第１実施例と同様に、絞り７を、第１レンズ１の第２面１ｂと同一面とみなしている。また、第１〜３の各レンズ１，２，３は樹脂材料により形成されている。
【０１１５】
さらに、第７実施例の撮像レンズ４は、以下の条件に設定されている。
（レンズデータ）
ｆ＝５．００ｍｍ、Ｆｎｏ＝３．１８、ω＝３０．８４°
面番号                           ｒ         ｄ       ｎd        νｄ
（物点）                         ∞     1000.390
１（第１レンズ第１面）         1.48974     1.277    1.5300      55.8
２（第１レンズ第２面）（絞り） 4.83403     0.514
３（第２レンズ第１面）        -1.14201     0.800    1.6070      27.0
４（第２レンズ第２面）        -1.54616     0.200
５（第３レンズ第１面）       -22.65312     1.284    1.5300      55.8
６（第３レンズ第２面）       -25.01727     0.900
７（カバーガラス第１面）         ∞        0.850    1.5168      64.2
８（カバーガラス第２面）         ∞        0.400
（像面）                         ∞
面番号    ｋ              Ａ                Ｂ               Ｃ
１    -5.779241    0.213294e+00      -0.128524e+00      0.879448e-01
２     0.000000   -0.175741e-02      -0.939520e-01      0.000000e+00
３     1.024612    0.395688e-01       0.109435e+00      0.000000e+00
４    -0.100907    0.536528e-01       0.302046e-01      0.000000e+00
５    -0.090000    0.156680e-01      -0.433357e-02      0.369434e-03
６     0.000000   -0.246223e-01       0.155044e-02     -0.147133e-03
Ｄ
１    -0.248972e-01
２     0.000000e+00
３     0.000000e+00
４     0.000000e+00
５     0.000000e+00
６    -0.196292e-04
【０１１６】
このような条件の下で、ｒ１ ／ｆ＝０．２９８となり、（１）の条件式を満足するものであった。また、ｒ３ ／ｆ＝−０．２２８となり、（２）の条件式を満足するものであった。さらに、ｆ／ｒ２ ＝１．０３４となり、（３）の条件式を満足するものであった。さらにまた、ｆ／ｒ６ ＝−０．２００となり、（４）の条件式を満足するものであった。また、ν１ ＝５５．８、ν２ ＝２７．０、ν３ ＝５５．８となり、（５）〜（７）の各条件式を満足するものであった。
【０１１７】
この第７実施例の撮像レンズ４における球面収差、非点収差およびディストーションを図２１に、横収差を図２２に示す。
【０１１８】
この結果によれば、球面収差、非点収差、ディストーションおよび横収差のいずれも満足できる結果となり、十分に優れた光学特性を得ることができることが分かる。
【０１１９】
さらに、このような優れた光学特性が得られる上に、光学系の全長は、６．２３ｍｍと、小型軽量化に適した短い全長とすることができる。
＜第８実施例＞
図２３は、本発明の第８実施例を示したものであり、この図２３に示す撮像レンズ４も、第１実施例と同様に、絞り７を、第１レンズ１の第２面１ｂと同一面とみなしている。なお、本実施例においては、第１レンズ１がガラスにより形成され、第２レンズ２および第３レンズ３が樹脂材料により形成されている。
【０１２０】
さらに、第８実施例の撮像レンズ４は、以下の条件に設定されている。
（レンズデータ）
ｆ＝５．００ｍｍ、Ｆｎｏ＝３．１８、ω＝３０．８２°
面番号                           ｒ         ｄ       ｎd        νｄ
（物点）                         ∞     1000.390
１（第１レンズ第１面）         1.69337     1.177    1.5879      60.5
２（第１レンズ第２面）（絞り） 6.32826     0.572
３（第２レンズ第１面）        -1.26886     0.803    1.6070      27.0
４（第２レンズ第２面）        -1.73044     0.200
５（第３レンズ第１面）       180.34907     1.318    1.5300      55.8
６（第３レンズ第２面）        35.09473     0.900
７（カバーガラス第１面）         ∞        0.850    1.5168      64.2
８（カバーガラス第２面）         ∞        0.400
（像面）                         ∞
面番号    ｋ              Ａ                Ｂ               Ｃ
１    -6.152712    0.154940e+00      -0.825700e-01      0.489081e-01
２     0.000000   -0.703558e-02      -0.558910e-01      0.000000e+00
３     1.047747    0.770778e-01       0.714118e-01      0.000000e+00
４     0.146880    0.818144e-01       0.238126e-01      0.000000e+00
５    -0.016641    0.856203e-02      -0.482609e-02      0.678552e-03
６     0.000000   -0.332226e-01       0.436031e-02     -0.778254e-03
Ｄ
１    -0.142305e-01
２     0.000000e+00
３     0.000000e+00
４     0.000000e+00
５     0.000000e+00
６     0.295017e-04
【０１２１】
このような条件の下で、ｒ１ ／ｆ＝０．３３９となり、（１）の条件式を満足するものであった。また、ｒ３ ／ｆ＝−０．２５４となり、（２）の条件式を満足するものであった。さらに、ｆ／ｒ２ ＝０．７９０となり、（３）の条件式を満足するものであった。さらにまた、ｆ／ｒ６ ＝０．１４２となり、（４）の条件式を満足するものであった。また、ν１ ＝６０．５、ν２ ＝２７．０、ν３ ＝５５．８となり、（５）〜（７）の各条件式を満足するものであった。
【０１２２】
この第８実施例の撮像レンズ４における球面収差、非点収差およびディストーションを図２４に、横収差を図２５に示す。
【０１２３】
この結果によれば、球面収差、非点収差、ディストーションおよび横収差のいずれも満足できる結果となり、十分に優れた光学特性を得ることができることが分かる。
【０１２４】
さらに、このような優れた光学特性が得られる上に、光学系の全長は、６．２２ｍｍと、さらに小型軽量化に適したより短い全長とすることができる。
＜第９実施例＞
図２６は、本発明の第９実施例を示したものであり、この図２６に示す撮像レンズ４も、第１実施例と同様に、絞り７を、第１レンズ１の第２面１ｂと同一面とみなしている。また、第１〜３の各レンズ１，２，３は樹脂材料により形成されている。
【０１２５】
さらに、第９実施例の撮像レンズ４は、以下の条件に設定されている。
（レンズデータ）
ｆ＝５．００ｍｍ、Ｆｎｏ＝３．１８、ω＝３１．０７°
面番号                           ｒ         ｄ       ｎd        νｄ
（物点）                         ∞     1000.000
１（第１レンズ第１面）         1.70744     1.133    1.5300      55.8
２（第１レンズ第２面）（絞り）10.50357     0.691
３（第２レンズ第１面）        -1.08328     0.753    1.6070      27.0
４（第２レンズ第２面）        -1.32915     0.231
５（第３レンズ第１面）       -47.14464     1.443    1.5300      55.8
６（第３レンズ第２面）        11.31596     1.000
７（カバーガラス第１面）         ∞        0.300    1.5168      64.2
８（カバーガラス第２面）         ∞        0.550
（像面）                         ∞
面番号    ｋ              Ａ                Ｂ               Ｃ
１    -0.558112    0.146741e-01      -0.356255e-03      0.542003e-02
２     0.000000   -0.195823e-01      -0.404354e-01      0.000000e+00
３     0.234555    0.612650e-01       0.105272e+00     -0.751360e-02
４    -0.436408    0.750741e-01       0.380277e-01     -0.567717e-03
５    -1.000000    0.168849e-01      -0.395563e-02     -0.202436e-03
６    -1.000000   -0.424165e-01       0.823418e-02     -0.121054e-02
Ｄ
１    -0.603058e-02
２     0.000000e+00
３    -0.139564e-01
４    -0.111261e-02
５     0.987121e-04
６     0.546764e-04
【０１２６】
このような条件の下で、ｒ１ ／ｆ＝０．３４２となり、（１）の条件式を満足するものであった。また、ｒ３ ／ｆ＝−０．２１７となり、（２）の条件式を満足するものであった。さらに、ｆ／ｒ２ ＝０．４７６となり、（３）の条件式を満足するものであった。さらにまた、ｆ／ｒ６ ＝０．４４２となり、（４）の条件式を満足するものであった。また、ν１ ＝５５．８、ν２ ＝２７．０、ν３ ＝５５．８となり、（５）〜（７）の各条件式を満足するものであった。
【０１２７】
この第９実施例の撮像レンズ４における球面収差、非点収差およびディストーションを図２７に、横収差を図２８に示す。
【０１２８】
この結果によれば、球面収差、非点収差、ディストーションおよび横収差のいずれも満足できる結果となり、十分に優れた光学特性を得ることができることが分かる。
【０１２９】
さらに、このような優れた光学特性が得られる上に、光学系の全長は、６．１０１ｍｍと、さらなる小型軽量化に適したより短い全長とすることができる。
【０１３０】
なお、本発明は、前述した実施の形態に限定されるものではなく、必要に応じて種々の変更が可能である。
【図面の簡単な説明】
【０１３１】
【図１】本発明に係る撮像レンズの実施形態を示す概略構成図
【図２】本発明に係る撮像レンズの第１実施例を示す概略構成図
【図３】図２の撮像レンズの球面収差、非点収差、ディストーションを示す説明図
【図４】図２の撮像レンズの横収差を示す説明図
【図５】本発明に係る撮像レンズの第２実施例を示す概略構成図
【図６】図５の撮像レンズの球面収差、非点収差、ディストーションを示す説明図
【図７】図５の撮像レンズの横収差を示す説明図
【図８】本発明に係る撮像レンズの第３実施例を示す概略構成図
【図９】図８の撮像レンズの球面収差、非点収差、ディストーションを示す説明図
【図１０】図８の撮像レンズの横収差を示す説明図
【図１１】本発明に係る撮像レンズの第４実施例を示す概略構成図
【図１２】図１１の撮像レンズの球面収差、非点収差、ディストーションを示す説明図
【図１３】図１１の撮像レンズの横収差を示す説明図
【図１４】本発明に係る撮像レンズの第５実施例を示す概略構成図
【図１５】図１４の撮像レンズの球面収差、非点収差、ディストーションを示す説明図
【図１６】図１４の撮像レンズの横収差を示す説明図
【図１７】本発明に係る撮像レンズの第６実施例を示す概略構成図
【図１８】図１７の撮像レンズの球面収差、非点収差、ディストーションを示す説明図
【図１９】図１７の撮像レンズの横収差を示す説明図
【図２０】本発明に係る撮像レンズの第７実施例を示す概略構成図
【図２１】図２０の撮像レンズの球面収差、非点収差、ディストーションを示す説明図
【図２２】図２０の撮像レンズの横収差を示す説明図
【図２３】本発明に係る撮像レンズの第８実施例を示す概略構成図
【図２４】図２３の撮像レンズの球面収差、非点収差、ディストーションを示す説明図
【図２５】図２３の撮像レンズの横収差を示す説明図
【図２６】本発明に係る撮像レンズの第９実施例を示す概略構成図
【図２７】図２６の撮像レンズの球面収差、非点収差、ディストーションを示す説明図
【図２８】図２６の撮像レンズの横収差を示す説明図
【符号の説明】
【０１３２】
１  第１レンズ
１ａ  第１レンズの第１面
１ｂ  第１レンズの第２面
２  第２レンズ
２ａ  第２レンズの第１面
２ｂ  第２レンズの第２面
３  第３レンズ
３ａ  第３レンズの第１面
３ｂ  第３レンズの第２面
４  撮像レンズ
７  絞り
【図１】
2005309210.tif 000003
【図２】
2005309210.tif 000004
【図３】
2005309210.tif 000005
【図４】
2005309210.tif 000006
【図５】
2005309210.tif 000007
【図６】
2005309210.tif 000008
【図７】
2005309210.tif 000009
【図８】
2005309210.tif 000010
【図９】
2005309210.tif 000011
【図１０】
2005309210.tif 000012
【図１１】
2005309210.tif 000013
【図１２】
2005309210.tif 000014
【図１３】
2005309210.tif 000015
【図１４】
2005309210.tif 000016
【図１５】
2005309210.tif 000017
【図１６】
2005309210.tif 000018
【図１７】
2005309210.tif 000019
【図１８】
2005309210.tif 000020
【図１９】
2005309210.tif 000021
【図２０】
2005309210.tif 000022
【図２１】
2005309210.tif 000023
【図２２】
2005309210.tif 000024
【図２３】
2005309210.tif 000025
【図２４】
2005309210.tif 000026
【図２５】
2005309210.tif 000027
【図２６】
2005309210.tif 000028
【図２７】
2005309210.tif 000029
【図２８】
2005309210.tif 000030